(57)【要約】【課題】便座の立ち座りを十分に支えることができ、介助負担を軽減することができる手摺装置の提供を目的とする。【解決手段】便座１の斜め後方に固定されるブラケット２に手摺体３を垂直回転自在に連結し、手摺体３の直線部４を便座１側方の水平姿勢と便座１斜め後方の起立姿勢との間で移動自在に形成してなり、  前記手摺体３に、直線部４が水平姿勢をとるときに便座１斜め前方においてほぼ垂直姿勢をとって便座１の立ち座りを支える補助直線部５を形成して構成する。【選択図】図１
2009082617.tif 000002
【特許請求の範囲】
【請求項１】
便座の斜め後方に固定されるブラケットに手摺体を垂直回転自在に連結し、手摺体の直線部を便座側方の水平姿勢と便座斜め後方の起立姿勢との間で移動自在に形成してなり、
前記手摺体には、直線部が水平姿勢をとるときに便座斜め前方においてほぼ垂直姿勢をとって便座の立ち座りを支える補助直線部が形成される手摺装置。
【請求項２】
前記手摺体は、補助直線部の両端を一対の直線部のそれぞれの先端に連結して先端部が略コ字形状に形成される請求項１記載の手摺装置。
【請求項３】
前記ブラケットには、手摺体に衝接して直線部の水平姿勢よりも下方への回転を禁止する回転規制部が形成され、
かつ、前記補助直線部は、直線部が水平姿勢をとるときに手摺体のブラケットとの回転連結軸よりも低い位置に配置される請求項１または２記載の手摺装置。
【請求項４】
前記手摺体の直線部は、管体により形成され、後端部から長手方向に沿って進退自在なストッパーを内部に収容し、
前記ブラケットは、便座斜め後方の壁面等の設置基部への取付基部から垂直翼片を突設させたダイカストからなるブラケット片の一組を組み付けて形成され、一対の垂直翼片間で前記直線部の後端部を垂直回転自在に挟みつけ、かつ、取付基部に形成されるストッパー受けに前記ストッパーを係止させて手摺体を所定の回転姿勢に保持する請求項１ないし３のいずれかに記載の手摺装置。
【請求項５】
前記手摺体には、直線部の後端部を跨いで一対の連結回転軸がほぼ一直線上に溶接固定され、
前記垂直翼片のそれぞれには、軸受け部材が前記連結回転軸の挿入方向に直交する面内を位置調整可能に固定される請求項４記載の手摺装置。
【発明の詳細な説明】
【技術分野】
【０００１】
本発明は手摺装置に関するものである。
【背景技術】
【０００２】
便座に隣接して配置される可動式の手摺装置としては、従来、特許文献１に記載されたものが知られている。この従来例において、手摺装置は、ブラケットに対して略Ｕ字形状の握り部材を垂直回動自在に連結して形成され、上記握り部材は、平行な直線状をなす２本の上杆部と下杆部のそれぞれの一端を半円弧形状部分で連結して構成される。上杆部等が床面に対して垂直な状態から平行な状態まで回転し、例えば、便座の一側方で水平姿勢になっている上杆部等に対して掴まることにより、座位を安定させることができる。また、便座への移乗時には、例えば、車椅子使用者の場合、上杆部等を床面に対して垂直な状態まで使用者又は介助者が動かし、上杆部等を便座の斜め後方に起立させるように退避させることで移乗を行いやすくする。
【０００３】
また、以上の手摺装置とは反対側である便座の他の側方には、上述した手摺装置とは別にＬ字形状の固定式手摺が取り付けられており、可動式の手摺装置のみでは座位を十分に安定させることができない場合や、掴みやすい位置に手摺があれば便座の立ち座りが不可能ではない身体状態にある利用者のこのような立ち座りのとき、さらには立ち上がった姿勢において衣服を脱着するときには、この固定式手摺に掴まることで身体を支えることができるものと思われる。固定式手摺は水平な部分が上述した上杆部とほぼ同じ高さ、すなわち便座に座った状態で掴みやすい程度の高さなどに位置し、その垂直な部分は、便座斜め前方において可動式手摺よりもかなり高い位置まで延び、便座から立ち上がった姿勢でも把持できるようにされる。
【特許文献１】特開２００４-３５３３６４
【発明の開示】
【発明が解決しようとする課題】
【０００４】
上述したように従来の可動式の手摺装置は、手摺を便座の斜め後方に起立させるように退避させた状態で介助者の介助を受けて便座に座る利用者を前提とし、単に座位を安定させることができるものに過ぎず、手摺などの適切な助けがあれば便座の立ち座りが不可能ではない身体状態にある利用者の便座の立ち座りを十分に支えることができないという欠点がある。
【０００５】
すなわち、従来の可動式の手摺装置は、手摺の高さが便座に座った状態で掴みやすい程度と低い位置である上に、手摺を便座の斜め後方から真横程度までの範囲しか配置していないことから、便座の立ち座り動作において終始掴まり続け、体重やバランスを支え続けることは難しく、かかる動作を助けるものとしては十分に機能できない。これにより、手摺などで適切に助けられてさえしていれば便座の立ち座りが不可能ではない身体状態にある利用者の独力、あるいは簡単な介助での用便を困難にし、また、これによって介助者の介助負担をより大きくしてしまう。
【０００６】
さらに、従来の可動式の手摺装置は、手摺の延びる方向が実質的に水平方向のみであることから、便座の立ち座り時に斜め上方あるいは斜め下方に身体を起こしたり屈めたりするときに身体を支えるようにするにはある程度の握力を要求され、このため実質的に身体を十分に支えることが困難になる。
【０００７】
加えて、便座の立ち座り、特に便座に座る際には、一般に便座の目の前で身体の向きを反転させる動作が必要になるが、上述したように手摺が水平方向にあっては身体の向きの反転に伴って手摺を持ちかえることが必要となり、この際にバランスを崩すおそれがある。
【０００８】
本発明は、以上の欠点を解消すべくなされたものであって、便座の立ち座りを十分に支えることができ、介助負担を軽減することができる手摺装置の提供を目的とする。
【課題を解決するための手段】
【０００９】
本発明によれば上記目的は、
便座１の斜め後方に固定されるブラケット２に手摺体３を垂直回転自在に連結し、手摺体３の直線部４を便座１側方の水平姿勢と便座１斜め後方の起立姿勢との間で移動自在に形成してなり、
前記手摺体３には、直線部４が水平姿勢をとるときに便座１斜め前方においてほぼ垂直姿勢をとって便座１の立ち座りを支える補助直線部５が形成される手摺装置を提供することにより達成される。
【００１０】
本発明において、手摺体３には、便座１の側方で水平姿勢をとる直線部４に加えて、便座１の斜め前方でほぼ垂直姿勢をとる補助直線部５が形成される。したがって補助直線部５に掴まることにより、便座１の立ち座りにおいて身体を十分に支えることができる。また、補助直線部５を利用した便座１の立ち座りが不可能な身体状態である場合には、介助者による介助を受けて便座１に着座しやすいように、手摺体３を便座１の斜め後方に起立させるようにして退避させることができる。このように補助直線部５を提供して便座１の立ち座りを十分に支えることができるようにすることにより、独力、あるいは軽い介助による用便を支援することができ、介助負担を軽減させることができる。また、独力での用便を可能にすれば、介助を受ける側の介助を受けることによる精神的負担を軽減させることができる。
【００１１】
さらに、ほぼ垂直姿勢をとる補助直線部５は、手を引っかけるようにして掴むことにより、便座１の立ち座りに際して握力をあまり必要とさせない上に、補助直線部４を掴む手を補助直線部４周りに滑らせるようにして補助直線部４周りに身体を容易に水平方向に回転、すなわち身体を便座１に向かい合った姿勢から背を向ける姿勢に容易に反転させることを可能にする。
【００１２】
上述したように便座１の斜め前方に位置する補助直線部５は、便座１の立ち座り動作の終始、すなわち便座１に座ったままの姿勢のみならず便座１の正面側に立った姿勢においても容易に掴むことができるように、便座１前端よりもやや正面側に配置することが望ましい。また、その鉛直方向の長さ範囲は、便座１に座った姿勢において掴みやすい肘程度に対応する低い位置から、立ち上がった姿勢において掴みやすい腰程度に対応するやや高い位置までなどに設定することが望ましい。
【００１３】
また、便座１の側方で水平姿勢をとって着座姿勢を安定させる直線部４を備えた以上の手摺体３において、上記補助直線部５は、直線部４の便座１前方側に一体的に形成することが可能である。この場合において、補助直線部５の両端を一対の直線部４、４’のそれぞれの先端に連結し、手摺体３の先端部を略コ字形状に形成した場合には、便座１の正面側において突起状をなすような自由端が形成されてしまうことがなく、安全性を高めることができる。加えて、このように一対の直線部４を設けるときには、上述した補助直線部５の両端の位置に合わせるようにして、便座１への着座姿勢と便座１から立ち上がった姿勢の各々において掴みやすい高さにそれぞれの直線部４、４’を配置すれば、より使い勝手を良好にすることができる。例えば、便座１から立ち上がった姿勢に対応する高い位置に直線部４が配置されれば、脇を直線部４で支えるようにして、もたれ掛かったような状態で身体を支持するという使い方も可能になる。
【００１４】
さらに、上述したように手摺体３を直線部４が水平姿勢と起立姿勢との間で垂直回転自在になるようにブラケット２に連結した場合において、補助直線部５によって便座１からの立ち上がり荷重等を支える場合には、補助直線部５に作用する立ち上がり荷重の下向きに働く成分に確実に耐えられるように、直線部４の水平姿勢よりも下方への回転を規制する回転規制部６をブラケット２側に設けることが望ましい。この場合において、ほぼ垂直姿勢をとる補助直線部５を手摺体３とブラケット２との連結回転軸７よりも低い位置に配置すれば、立ち上がり荷重の便座１後方側に向かって作用する成分を手摺体３の下方への回転力に変換し、上述した回転規制部６によって手摺体３の不用意な移動を規制させることができる。
【００１５】
加えて、手摺体３の直線部４の上述した起立姿勢や水平姿勢での保持は、直線部４を管体により形成し、後端部から長手方向に沿って進退自在なストッパー８をその内部に収容させるとともに、便座１の斜め後方の壁面等の設置基部９への取付基部１０から垂直翼片１１を突設させたダイカストからなるブラケット片１２の一組を組み付けてブラケット２を形成し、一対の垂直翼片１１、１１間で前記直線部４の後端部を垂直回転自在に挟みつけ、かつ、取付基部１０に形成されるストッパー受け１３にストッパー８を係止させて行うことができる。寸法精度に優れたダイカスト品を組み付けて形成されるブラケット２は、垂直翼片１１、１１間で挟み付けた手摺体３の直線部４の側方へのぶれを防止し、これにより補助直線部５を安定的に支持する。また、直線部４の内部にはブラケット２のストッパー受け１３に嵌合するストッパー８が長手方向に沿って進退自在に設けられ、外観を良好に維持して補助直線部５の姿勢をバランス良く保つ。さらに、以上のように手摺体３とブラケット２との連結を構成することで、連結回転軸７周りをコンパクトにしつつ適宜の動作精度を確保することができる。
【００１６】
さらに、このように手摺体３の直線部４の内部にストッパー８を収容した場合において、ブラケット２に直線部４をしっかりと組み付けるには、直線部４の後端部を跨いで一対の連結回転軸７をほぼ一直線上に溶接固定し、また、上述した垂直翼片１１のそれぞれには軸受け部材１４を連結回転軸７の挿入方向に直交する面内で位置調整可能に固定することが望ましい。すなわち、ストッパー８を収容する直線部４内部を避けて直線部４の外面側に溶接固定される連結回転軸７に生じるおそれがある溶接歪みは、ブラケット２の垂直翼片１１に対する軸受け部材１４の固定位置の調整によって吸収することができ、これにより直線部４をしっかりとブラケット２に組み付けることができる。また、軸受け部材１４をブラケット片１２と別体にすることで、ダイカスト品よりも優れた耐摩耗性を備えさせることができる。
【発明の効果】
【００１７】
以上の説明から明らかなように、本発明によれば、便座の立ち座りを十分に支えることができる手摺装置を提供することができ、介助負担をより軽減させ、介助を受ける側の介助を受けることによる精神的負担を軽減させることができる。
【発明を実施するための最良の形態】
【００１８】
図１（ａ）は本発明に係る手摺装置Ａが設置されたトイレブースを示すもので、便座１の後方に隣接して壁面（設置基部９）が設けられるとともに、便座１の一側方にも隣接して他の壁面２０が設けられ、適宜のスペースが空けられた便座１の他の側方に対し、上記手摺装置Ａによって可動式の手摺が提供される。また、上述した便座１の一側方に隣接する壁面２０には略Ｌ字形状の固定式の手摺２１が取り付けられ、その横手摺部２１ａが便座１の一側方に沿って、便座１に座った姿勢で肘が位置する程度の高さに配置される。固定式の手摺２１の縦手摺部２１ｂは、便座１よりもやや前方まで延びる横手摺部２１ａの先端を基端にして縦方向に延び、上方に行くに従って次第に便座１から離れるように少し斜めに傾いて形成される。この縦手摺部２１ｂの上端は、便座１の前に人が立ったときにその真横程度に位置し、その高さは、肩よりもやや低い程度にされる。なお、図１において２１ｃは固定式の手摺２１を壁面２０に固定する固定式手摺のブラケット、２２は背もたれである。
【００１９】
上記手摺装置Ａは、図１（ａ）および（ｂ）に示すように、便座１後方の壁面９に固定されるブラケット２と、このブラケット２に支持されて便座１の一側方に位置する使用姿勢と斜め後方に位置する収納姿勢との間を移動自在な手摺体３とを有し、ブラケット２に対して手摺体３を垂直回転自在に連結して形成される。上記ブラケット２は、図１（ｂ）、図２、および図３に示すように、壁面９に固定される取付基部１０から手摺体３を連結する連結部２３を突設させて形成され、この連結部２３は、垂直方向に板状をなす垂直翼片１１の対の間に手摺体３の端部を連結回転軸７を介して垂直回転自在に支持する。後述するように連結回転軸７を手摺体３側に一体的に形成するこの実施の形態において、垂直翼片１１、１１間に連結回転軸７を備えた手摺体３の端部を挿入するために、ブラケット２は、図３（ａ）に示すようにブラケット片１２の一組を組み付けて形成され、各ブラケット片１２には垂直翼片１１が各々設けられ、上記取付基部１０は、分割されるようにしてブラケット片１２の各々に分かれて形成される。
【００２０】
各ブラケット片１２は、アルミダイカストにより形成され、それぞれの取付基部１０から一体的に垂直翼片１１を突設させて形成される。組をなす一方のブラケット片１２には、垂直翼片１１が一枚のみ形成されるとともに、該垂直翼片１１の幅に対応する領域と、該垂直翼片１１の基端部と他のブラケット片１２’に形成される他の垂直翼片１１の基端部との間に対応する領域に配置される取付基部１０が形成され、また、他方のブラケット片１２’には、同様に垂直翼片１１が一枚のみ形成されるとともに、該垂直翼片１１の幅に対応する領域に配置される取付基部１０が形成される。また、各垂直翼片１１には、上述した連結回転軸７が遊挿される軸遊挿孔１１ａが穿孔されるとともに、他の垂直翼片１１に対峙する面には、後述する軸受け部材１４を垂直翼片１１の表面に面一に取り付けるための取付部１１ｂが凹設される。
【００２１】
上記軸受け部材１４は、軸遊挿孔１１ａに挿入された連結回転軸７に対して直接接触して該連結回転軸７を回転自在に支持するためのもので、図３（ｂ）および（ｃ）に示すように、ステンレスの薄板材に軸遊挿孔１１ａよりもひとまわり小さい軸受け孔２４を開設して形成される。正方形からなるその外形は垂直翼片１１に凹設される取付部１１ｂよりもひとまわり小さく形成されており、その四隅において垂直翼片１１にネジ止めされ、ネジ穴よりもやや小径のネジが使用されることにより、垂直翼片１１の垂直表面上で位置調整できるようにされる。
【００２２】
さらに、各垂直翼片１１の上述した取付部１１ｂの反対側には、図３（ｃ）に示すように、軸受け部材１４を貫通する連結回転軸７に作用するロータリーダンパー２５あるいは渦巻きばね２６のいずれか一方を収容する収容部１１ｃが設けられ、また、この収容部１１ｃには蓋体１１ｄが被せられてロータリーダンパー２５等の露出を防いで外観が良好に維持される。
【００２３】
加えて、上述した一対の垂直翼片１１、１１の基端部間に対応する領域の取付基部１０には、垂直翼片１１、１１間に手摺体３の一端部を垂直回転自在に連結したときに、回転する手摺体３の後端の軌跡に沿う曲面２７が形成される。この曲面２７は、上述した手摺体３の使用姿勢と収納姿勢、すなわち手摺体３の後述する第１の直線部４の水平姿勢と垂直姿勢との間の回転角度に合わせたおよそ９０度の角度範囲に対応するもので、側方から見たときに略四分円弧状をなす。また、取付基部１０には、この曲面２７を掘り下げるようにして後述する手摺体３のストッパー８が遊挿されるストッパー遊挿孔２８が穿孔される。ストッパ遊挿孔２８は、図２、図３（ｂ）および図４（ａ）に示すように、手摺体３の使用姿勢、収納姿勢に加え、これらの中間の回転角度にそれぞれ対応して、曲面２７の湾曲する方向に三箇所に渡って形成される。
【００２４】
また、上記ブラケット２には、ステンレス等の薄板材を上記曲面２７に重なるように折り曲げるなどして形成されるストッパー受け部材２９が装着される。ストッパー受け部材２９は、上述したストッパー遊挿孔２８よりもやや小径のストッパー受け孔（ストッパー受け１３）を上述したストッパー遊挿孔２８に対応する位置に備え、上述した曲面２７を覆うようにしてブラケット２の取付基部１０にネジ止めされる。
【００２５】
さらにまた、上記ブラケット２には、手摺体３の相対回転範囲を規制する規制部３０が設けられる。規制部３０は、使用姿勢あるいは収納姿勢をとる手摺体３に衝接し、手摺体３が使用姿勢よりもさらに収納姿勢から離れる方向に回転すること、すなわち使用姿勢よりも下方への回転を規制する下方ストローク規制部（回転規制部６）と、手摺体３の収納姿勢よりもさらに使用姿勢から離れる後方への回転を規制する上方ストローク規制部３１とを有する。
【００２６】
上記下方ストローク規制部６は、一端部がブラケット２に連結される手摺体３のブラケット２に連結されない他端部に衝接し、これにより手摺体３の回転範囲を規制する。この下方ストローク規制部６は、衝接する手摺体３の他端部側を支えるものとしても機能できるように、図３（ｂ）に示すように、深くなるにしたがって次第にすぼまる凹部として取付基部１０に形成され、上述した連結部２３よりもやや下方に配置される。
【００２７】
また、上記上方ストローク規制部３１は、手摺体３のブラケット２に連結されている一端部に衝接し、これにより手摺体３の回転範囲を規制する。この上方ストローク規制部３１は、図３（ｂ）に示すように、上述した曲面２７の湾曲する方向の一端においてストッパー受け部材２９よりもさらに連結回転軸７側に突出する突出部として形成され、垂直姿勢をとる手摺体３の他端部の周壁部分に衝接する。
【００２８】
なお、図１（ｂ）、図２、および図３において３２は肉盗み、３３は上述した渦巻きばね２６の一端を係止させるバネ受けであり、このバネ受け３３は複数設けられることで渦巻きばね２６の弾性力を調整できるようにされる。
【００２９】
一方、手摺体３は、図１（ｂ）、図２および図４（ｂ）に示すように、ステンレスパイプからなる芯材に曲げ加工を施し、その外表面を合成樹脂材からなる被覆材で被覆し、かつ、その一端部にさらにパイプ材３４を外嵌させて形成される。この手摺体３は、上述したようにブラケット２に連結された一端部から直線状に延びる第１の直線部４と、この第１の直線部４の先端を基端にして第１の直線部４に対して直角方向に延設される補助直線部５と、この補助直線部５の先端を基端にして上述した第１の直線部４に対して平行に延設される第２の直線部４’とを備え、これら第１、第２の直線部４、４’、および補助直線部５により先端部が略コ字形状に形成される。また、上記第２の直線部４’の長さは第１の直線部４の半分程度に設定され、この第２の直線部４’の先端からは、第２の直線部４’に対して１２０度程度の角度をなして傾斜して第１の直線部４寄りに延設される傾斜直線部３５が設けられ、さらにこの傾斜直線部３５の先端を基端にして終端直線部３６が第１の直線部４に平行に延設される。
【００３０】
また、上記第１の直線部４は、手摺体３が使用姿勢をとるときに便座１よりも少し前方側にまで至る程度の長さに形成され、上記補助直線部５は、便座１に座った姿勢における肘の位置と、便座１の前方に立った姿勢における腰の位置との間にほぼ相当する長さに形成される。さらに、上記傾斜直線部３５によって、手摺体３は、コ字形状の先端部の第１の直線部４と第２の直線部４’の離隔間隔によって決定される幅寸法に対して、後端部、すなわち第１の直線部４と終端直線部３６の離隔間隔によって決定される幅寸法が半分程度にされる。また、このように小さな幅寸法を構成する第１の直線部４と終端直線部３６との間には、補助直線部５と平行をなすようにして終端直線部３６を第１の直線部４と平行な姿勢に保持するガイド部３７が形成される。
【００３１】
なお、図２において手摺体３の終端直線部３６の端部に固定される３８は、合成樹脂材からなるエンドキャップである。
【００３２】
また、手摺体３には、図３に示すように、上述した連結回転軸７が第１の直線部４の一端部に設けられ、さらに、図２及び図４（ａ）に示すように、この連結回転軸７周りの回転を禁止して手摺体３を上述した使用姿勢等の所定の姿勢に保持する姿勢保持手段３９が形成される。
【００３３】
上記連結回転軸７は、上述したパイプ材３４に溶接固定されて手摺体３に一体的に設けられる。この連結回転軸７は、上記パイプ材３４を跨いで一直線状に並ぶようにパイプ材３４の中心を挟んだ対向位置にピン材をそれぞれ溶接固定することにより形成される。図２に示すように、手摺体３の芯材の内方にはナットプレート４０がネジ止めされ、このナットプレート４０に対して芯材、被覆材を貫通するネジによってパイプ材３４がネジ止めされる。
【００３４】
また、上記姿勢保持手段３９は、パイプ材３４の内部に収容されてその後端部から第一の直線部４の長手方向に沿って進退自在なストッパー８と、このストッパー８を遠隔操作するためのストッパー操作手段４１とを有する。図２および図４に示すように、ストッパー操作手段４１は、第１の直線部４の長手方向ほぼ中央部分に配置され、第１の直線部４を構成する被覆材の外表面に装着される操作レバー４１ａと、この操作レバー４１ａに連結され、第１の直線部４を構成する芯材の内部に収容されるスリーブ４１ｂと、第１の直線部４の芯材内部に挿通されてスリーブ４１ｂとストッパー８を連結する伝達棒４１ｃとを有し、手摺体３の外部に露出する操作レバー４１ａへの操作力を手摺体３の内部のスリーブ４１ｂ、伝達棒４１ｃを介してストッパー８に伝達する。上記操作レバー４１ａ、スリーブ４１ｂ、伝達棒４１ｃはそれぞれ第１の直線部４の長手方向に進退移動自在で、操作レバー４１ａを便座１の前方側に移動させることにより、ストッパー受け孔１３に嵌入しているストッパー８をストッパー受け孔１３から引き出す。
【００３５】
また、ストッパー８とスリーブ４１ｂとの間には圧縮スプリング４２が介装され、スリーブ４１ｂと操作レバー４１ａを便座１後方に付勢する。図４（ａ）に矢印で示すように引っ張りスプリング４２の付勢力に抗して操作レバー４１ａを便座１前方側に移動させることにより、ストッパー８がストッパー受け孔１３から退避し、また、操作レバー４１ａから手を離せば、図２に示すようにストッパー８がストッパー受け孔１３に嵌入される。
【００３６】
したがって以上の手摺装置Ａは、一方のブラケット片１２に装着されたストッパー受け部材２９に対し、連結回転軸７や姿勢保持手段３９が組み付けられた手摺体３の後端部を対峙させ、一方のブラケット片１２の軸受け部材１４に手摺体３の連結回転軸７を挿通させた後、図３（ａ）に矢印で示すように他方のブラケット片１２を一方のブラケット片１２に組み付け、他方のブラケット片１２’の軸受け部材１４にも手摺体３の連結回転軸７を挿通させることにより製作される。一組のブラケット片１２、１２’を組み合わせてブラケット２を組み立てた後に、軸受け部材１４、１４のブラケット２に対するネジ止め位置を調整すれば、パイプ材３４に溶接固定される連結回転軸７の溶接歪みを軸受け部材１４、１４の取り付け位置によって吸収することができる。この後、ブラケット２に対し、使用姿勢から収納姿勢に向かって手摺体３を付勢する渦巻きばね２６を取り付けるとともに、収納姿勢から使用姿勢に向かう方向への手摺体３の移動速度を減速させる方向にロータリーダンパー２５をネジ止めし、さらに蓋体１１ｄを取り付ければ手摺装置Ａが完成する。
【００３７】
なお、ロータリーダンパー２５のブラケット２へのネジ止めに際しては、連結回転軸７の直交方向にロータリーダンパー２５がやや移動できるような遊びを持たせることにより、連結回転軸７の偏心回転によるロータリーダンパー２５の早期の損耗を防止することができる。
【００３８】
また、図１に示すように、この手摺装置Ａは、この実施の形態においては、ブラケット２の取付基部１０によってトイレブースの壁面９を利用して便座１の斜め後方位置に固定される。例えば、車椅子４３を使用する右半身麻痺の障害者４４の用便の場合には、まず最初に車椅子４３を便座１の斜め正面側に向かって走らせて補助直線部５に接近し、次いで、図５（ａ）に示すように、健常な左半身側の手によって補助直線部５に掴まって車椅子４３から立ち上がる。立ち上がったら、図５（ｂ）に示すように第１の直線部４を支えにしながら身体を向きを反転させ、この後、図６（ａ）に示すように、さらに第１の直線部４を支えにしながら下半身の衣服を脱ぐ。
【００３９】
衣服を脱いだら、図６（ｂ）に示すように第１の直線部４に掴まるなどすれば、便座１に比較的容易に着座することができ、着座後には、図７（ａ）に示すように、第２の直線部４’に掴まるなどすれば、座位を安定させて用便を済ませることができる。さらに、用便を済ませた後は、補助直線部５に掴まり、図７（ｂ）に矢印で示すように腕４４ａを縮める方向に力を加えれば、固定状態の補助直線部５に代わって身体が引き起こされ、これにより便座１から比較的容易に立ち上がることができる。このようにして立ち上がった後は、上述とは逆に、そのまま補助直線部５を中心に身体の向きを反転させた後、補助直線部５等を支えにして車椅子４３に戻ることができる。
【００４０】
なお、以上においては上述した従来例では困難な右半身麻痺の障害者４４の用便を手摺装置Ａによって支援する場合を説明したが、同様、あるいは身体状態に応じた任意の使い方をすることで、手摺装置Ａを利用して高齢者等であっても容易に用便を済ますことができる。また、以上においてはブラケット２をトイレブースの便座１の後方壁面９に固定する場合を示したが、手摺体３を便座１の側方において垂直回転自在に支持できれば補助直線部５を同様に活用することが可能であり、ブラケット２の構成、あるいは、その取り付け箇所はトイレブースの状況に応じて適宜変更することができる。
【図面の簡単な説明】
【００４１】
【図１】本発明に係る手摺装置を示す図で、（ａ）はトイレブースにおける設置状態を示す図、（ｂ）は手摺装置の拡大斜視図である。
【図２】手摺装置の一部を破断した側面図である。
【図３】ブラケットへの手摺体の組み付けやブラケットのつくりを示す図で、（ａ）はブラケットへの手摺体の組付け方を説明する正面図、（ｂ）は（ａ）の３Ｂ矢視図、（ｃ）はブラケットと手摺体との組み付け状態を説明する平面図で、一部を破断したのである。
【図４】手摺体の回転操作を説明する図で、（ａ）は操作レバーとストッパーとの動作関係を主に説明する図、（ｂ）は手摺体の回転姿勢を説明する図である。
【図５】手摺装置のトイレブースにおける使用状態を説明する斜視図である。
【図６】手摺装置のトイレブースにおける使用状態を説明する斜視図である。
【図７】手摺装置の使用状態を説明する図で、（ａ）はトイレブースにおける使用状態を説明する斜視図、（ｂ）は便座からの立ち上がり動作を説明する要部側面図である。
【符号の説明】
【００４２】
１  便座
２  ブラケット
３  手摺体
４  直線部
５  補助直線部
６  回転規制部
７  連結回転軸
８  ストッパー
９  設置基部
１０  取付基部
１１  垂直翼片
１２  ブラケット片
１３  ストッパー受け
１４  軸受け部材
【図４】
2009082617.tif 000003
【図１】
2009082617.tif 000004
【図２】
2009082617.tif 000005
【図３】
2009082617.tif 000006
【図５】
2009082617.tif 000007
【図６】
2009082617.tif 000008
【図７】
2009082617.tif 000009